(57)【要約】      （修正有）【課題】精度よく圧脈波を検出することのできる状態を容易に得ることのできる圧脈波検出装置を提供する。【解決手段】被測定者の橈骨動脈ＴＤから圧脈波を検出する圧脈波検出センサ１０ａ，１０ｂ，１０ｃを収容する筐体と、筐体に設けられ、圧脈波検出センサの位置決めを行うための位置決め部（貫通孔２３）と、を備え、貫通孔と圧脈波検出センサは、手首の円周方向に並べて配置されており、貫通孔は、被測定者の橈骨の茎状突起Ｔａに嵌められることで、圧脈波検出センサを被測定者の橈骨動脈上方に位置決めする。【選択図】図４
2017051273.tif 000002
【特許請求の範囲】
【請求項１】
被測定者の手首の橈骨動脈から圧脈波を検出する圧脈波検出センサを収容する筐体と、
前記筐体に設けられ、前記圧脈波検出センサの位置決めを行うための位置決め部と、を備え、
前記位置決め部と前記圧脈波検出センサは、手首の円周方向に並べて配置されており、
前記位置決め部は、前記筐体における手首と対向する面に設けられた凹部、前記筐体に設けられた貫通孔、又は前記筐体に設けられた切欠部からなり、被測定者の橈骨の茎状突起に嵌められることで、前記圧脈波検出センサを被測定者の橈骨動脈上方に位置決めする圧脈波検出装置。
【請求項２】
請求項１記載の圧脈波検出装置であって、
前記位置決め部は前記凹部であり、
前記凹部の底面から前記筐体の外周までの部分は透明になっている圧脈波検出装置。
【請求項３】
請求項１記載の圧脈波検出装置であって、
前記位置決め部は前記貫通孔又は前記切欠部である圧脈波検出装置。
【請求項４】
請求項１〜３のいずれか１項記載の圧脈波検出装置であって、
前記筐体は、前記圧脈波検出センサを収容する第一の筐体と、前記第一の筐体よりも剛性の低い第二の筐体とを含み、
前記位置決め部は、前記第二の筐体に設けられている圧脈波検出装置。
【請求項５】
請求項１記載の圧脈波検出装置であって、
前記凹部、前記貫通孔、又は前記切欠部には、橈骨の茎状突起の位置をガイドするための目印が設けられている圧脈波検出装置。
【請求項６】
請求項５記載の圧脈波検出装置であって、
前記圧脈波検出センサは、圧力検出素子を手首の円周方向に複数並べた素子列を前記円周方向に直交する方向に２つ並べた構成であり、
前記直交する方向における前記目印の位置は、前記２つの素子列の間にある圧脈波検出装置。
【請求項７】
請求項６記載の圧脈波検出装置であって、
前記直交する方向における前記目印の位置は、前記２つの素子列の中間と一致する圧脈波検出装置。
【請求項８】
請求項１〜７のいずれか１項記載の圧脈波検出装置であって、
前記位置決め部と前記圧脈波検出センサを手首側からみた平面視における、前記位置決め部と前記圧脈波検出センサとの前記円周方向の距離は、１ｃｍ以下である圧脈波検出装置。
【発明の詳細な説明】
【技術分野】
【０００１】
本発明は、圧脈波検出装置に関する。
【背景技術】
【０００２】
手首の橈骨動脈等の動脈が通る生体部位に圧力センサを直接接触させた状態で、この圧力センサにより検出される情報を用いて脈拍や血圧等の生体情報を測定することのできる生体情報測定装置が知られている（例えば特許文献１〜３参照）。
【０００３】
特許文献１には、手首に装着した状態で、手の甲側に巻きつけられる部分に尺骨を避けるための開口を設けることで、装置の手首への装着状態を安定して維持させることのできる生体情報測定装置が記載されている。
【０００４】
特許文献２には、手首に巻き付けられてその巻き付け方向へ伸縮可能となるバンドに、バンドの伸縮にともなって伸縮し、その伸縮の度合いによってバンド巻き付け強さを示すためのマーキング部と、マーキング部の伸縮の度合いが最適なバンド巻き付け強さに対応しているか否かを判定するための基準となる基準ボタンとが設けられた生体情報測定装置が記載されている。
【０００５】
この生体情報測定装置によれば、マーキング部と基準ボタンを用いて装置の装着を行うことで、使用者の手首の太さに関係なく、最適なバンド巻き付け強さで装置の装着が可能となる。
【先行技術文献】
【特許文献】
【０００６】
【特許文献１】特開２００８−１６８０５４号公報
【特許文献２】特開平０５−３２９１１７号公報
【発明の概要】
【発明が解決しようとする課題】
【０００７】
特許文献１及び特許文献２の生体情報測定装置は、圧力センサ部分を橈骨動脈近傍にあてて保持した状態から、バンドを手の甲側まで回して固定することで、手首への装着を行うものである。
【０００８】
しかし、橈骨動脈がどの辺にあるかは医療従事者以外の人間では把握することが難しい。このため、精度の高い圧脈波の検出ができるように圧力センサを手首に当てた状態を得ることは容易ではない。
【０００９】
本発明は、上記事情に鑑みてなされたものであり、精度よく圧脈波を検出することのできる状態を容易に得ることのできる手首装着型の圧脈波検出装置を提供することを目的とする。
【課題を解決するための手段】
【００１０】
本発明の圧脈波検出装置は、被測定者の手首の橈骨動脈から圧脈波を検出する圧脈波検出センサを収容する筐体と、前記筐体に設けられ、前記圧脈波検出センサの位置決めを行うための位置決め部と、を備え、前記位置決め部と前記圧脈波検出センサは、手首の円周方向に並べて配置されており、前記位置決め部は、前記筐体における手首と対向する面に設けられた凹部、前記筐体に設けられた貫通孔、又は前記筐体に設けられた切欠部からなり、被測定者の橈骨の茎状突起に嵌められることで、前記圧脈波検出センサを被測定者の橈骨動脈上方に位置決めするものである。
【発明の効果】
【００１１】
本発明によれば、精度よく圧脈波を検出することのできる状態を容易に得ることのできる手首装着型の圧脈波検出装置を提供することができる。
【図面の簡単な説明】
【００１２】
【図１】本発明の一実施形態を説明するための生体情報測定装置の筐体２０の外観構成を示す模式図である。
【図２】図１の筐体２０における圧脈波検出部１０と貫通孔２３を手首側から見た平面図である。
【図３】図１に示す筐体２０の貫通孔２３を通る手首Ｈの円周方向断面の模式図である。
【図４】筐体２０の手首への装着方法を説明するための図である。
【図５】筐体２０の変形例である筐体２０Ａの図３に対応する断面図である。
【図６】筐体２０の変形例である筐体２０Ｂの図１に対応する斜視図である。
【発明を実施するための形態】
【００１３】
以下、本発明の実施形態について図面を参照して説明する。
【００１４】
図１は、本発明の一実施形態を説明するための生体情報測定装置の筐体２０の外観構成を示す模式図である。生体情報測定装置は、筐体２０を被測定者の手首に装着して用いられるものである。
【００１５】
図１には、被測定者の左の手首Ｈを示しており、図中の手前側が被測定者の手が存在する方向である。また、図中の上側が手のひらの向いている方向である。手首Ｈ内には、橈骨Ｔと、尺骨Ｓと、橈骨動脈ＴＤとを図示している。
【００１６】
本実施形態の生体情報測定装置は、被測定者の手首Ｈの橈骨Ｔに沿う橈骨動脈ＴＤから圧脈波を検出する圧脈波検出部１０を有し、圧脈波検出部１０によって検出される圧脈波に基づいて血圧値や脈拍数等の生体情報を測定するものである。
【００１７】
圧脈波検出部１０は公知の構成を採用することができる。例えば、圧脈波検出部１０は、圧脈波検出センサとこれを皮膚に押し当てる機構を有する。
【００１８】
本実施形態の生体情報測定装置は、圧脈波検出部１０と、圧脈波検出部１０によって検出される圧脈波に基づいて血圧値や脈拍数等の生体情報を演算する図示しない生体情報演算部とを収容する筐体２０と、後述する筐体２０を手首に固定するためのバンドと、を備える。
【００１９】
本実施形態の生体情報測定装置は、圧脈波検出部１０を少なくとも有するものであればよく、圧脈波検出装置として機能する。例えば、生体情報演算部は、生体情報測定装置とは別の機器に設けられるものであってもよい。
【００２０】
筐体２０は、手首Ｈの周方向（以下、円周方向ともいう）に沿って巻き付け可能に構成されており、手首Ｈの尺骨Ｓ側が開放された略Ｕ字状となっている。筐体２０は、手首Ｈの円周方向における両端部間が尺骨Ｓを覆わない構成になっている。
【００２１】
筐体２０は、圧脈波検出部１０を収容する筐体１と、筐体１と連結された筐体２とから構成されている。筐体２は、接着、溶着等の固着によって筐体１に連結されたり、連結ピンによって筐体１に着脱自在に連結されたりしている。
【００２２】
筐体１は、筐体２０の手首Ｈへの装着状態において、圧脈波検出部１０の橈骨動脈ＴＤに対する位置を安定させるため、また、精密素子を含む圧脈波検出部１０を保護するために、剛性の高い第一の剛性の部材を主体に構成されている。第一の剛性の部材としては、例えば、樹脂や金属が用いられる。
【００２３】
筐体２は、一部又は全部が第一の剛性よりも低い第二の剛性の部材により構成されている。
【００２４】
詳細は後述するが、例えば、筐体２は、外周面（手首Ｈと対向する面の反対側の面）から所定の厚みまでは第二の剛性の部材により構成され、それ以外の部分は第一の剛性の部材により構成されている。
【００２５】
このように、筐体１よりも剛性の低い部材を筐体２の外周面に用いることで、筐体２を手首Ｈの形状に合わせて変形させることを容易にすることができる。第二の剛性の部材は、例えば、弾性部材や形状記憶合金等が用いられる。
【００２６】
筐体２の内周面（手首Ｈと対向する面）には、筐体２０を手首Ｈに固定するためのバンド（不図示）を固定するバンド留め具２２が設けられている。バンド留め具２２は、図１の例では、円柱状の金具により構成されている。バンド留め具２２には、バンドの基端が固定される。
【００２７】
筐体１の外周面（手首Ｈと対向する面の反対面）には、バンドの先端を筐体１に係止するための孔部１１，１２が、手首Ｈの円周方向に沿って並べて設けられている。
【００２８】
バンドは、筐体２０の長手方向（手首Ｈの円周方向と同義）に沿って伸びる帯状で、かつ、筐体２０よりも剛性の低い部材で構成されている。この部材は例えば布や革が用いられる。このバンドには、バンドの一部と他部を貼りつけるための面ファスナーが設けられている。
【００２９】
本実施形態の生体情報測定装置では、図１の状態で、被測定者が、バンド留め具２２に固定されたバンドの先端部を手のひら側に回して孔部１２に挿入し、孔部１１から引き出す。
【００３０】
そして、被測定者は、孔部１１から取り出したバンドを手の甲側に引っ張って締め付け具合を調整した後、面ファスナーによってバンド同士を係止することで、バンドによる筐体２０の手首Ｈへの固定を完了させる。
【００３１】
筐体２には、手首Ｈの円周方向における筐体１の圧脈波検出部１０と隣接する位置に、貫通孔２３が設けられている。貫通孔２３は、被測定者の橈骨Ｔの茎状突起Ｔａが嵌る大きさとなっている。
【００３２】
本実施形態の生体情報測定装置では、被測定者の橈骨Ｔの茎状突起Ｔａに貫通孔２３が嵌められることで、圧脈波検出部１０に含まれる圧脈波検出センサが被測定者の橈骨動脈ＴＤ上方の所望位置に位置決めされる。貫通孔２３は、圧脈波検出センサの位置決めを行うための位置決め部として機能する。
【００３３】
図２は、図１の圧脈波検出部１０と貫通孔２３が設けられる筐体２０の部分を手首側から見た平面図である。
【００３４】
図２に示すように、圧脈波検出部１０は、手首Ｈの円周方向に配列された複数の圧力検出素子からなる素子列１０ａと、手首Ｈの円周方向に配列された複数の圧力検出素子からなる素子列１０ｂとの２つの素子列が形成された押圧面１０ｃを有する。素子列１０ａ，１０ｂ及び押圧面１０ｃは、圧脈波検出センサを構成する。
【００３５】
素子列１０ａと素子列１０ｂは、手首Ｈの円周方向に直交する方向に間隔をあけて並べて配置されている。圧脈波検出部１０は、押圧面１０ｃが筐体１から露出する形で筐体１に内蔵されている。
【００３６】
圧脈波検出部１０は、押圧面１０ｃを手首の皮膚の上から橈骨動脈ＴＤに押圧する機構を有する。この機構によって押圧面１０ｃが手首に押圧された状態で、素子列１０ａに含まれる各圧力検出素子及び素子列１０ｂに含まれる各圧力検出素子により検出される信号を用いて、橈骨動脈ＴＤから発生して皮膚に伝達される圧力振動波、すなわち圧脈波を検出する。
【００３７】
圧脈波検出部１０は、押圧面１０ｃを、橈骨動脈ＴＤの一部を平坦に変形させるための最適押圧力で手首Ｈに押圧する。押圧面１０ｃには素子列が２つ存在することで、素子列が１つの場合と比べて、橈骨動脈ＴＤの平坦となった部分からの圧脈波を検出できる可能性を高めることができ、圧脈波検出精度を向上させることができる。
【００３８】
また、押圧面１０ｃを、圧力検出素子の出力が大きくなるように傾斜可能にすることで、圧脈波検出精度を更に向上させることができる。
【００３９】
図２の平面視において、手首Ｈの円周方向における押圧面１０ｃの左隣には貫通孔２３が設けられている。図２の例では、貫通孔２３の平面視での形状は略正方形となっており、そのサイズは１ｃｍ×１ｃｍ〜３ｃｍ×３ｃｍとなっている。この程度のサイズとすることで、位置決め部としての機能を十分に得ることができる。
【００４０】
図２の平面視において、貫通孔２３の手首Ｈの円周方向における押圧面１０ｃ側の端部から、押圧面１０ｃの手首Ｈの円周方向における貫通孔２３側の端部までの距離Ｌ（貫通孔２３と圧脈波検出センサとの円周方向の距離）は、あらゆる被測定者にとって貫通孔２３が位置決め部として機能するよう、例えば１ｃｍ以下としておくのが好ましい。
【００４１】
距離Ｌを上記のように設定することで、ほぼ全ての被測定者の茎状突起Ｔａが貫通孔２３に嵌められた状態で、素子列１０ａ，１０ｂの各々の円周方向の中心付近が、被測定者の橈骨動脈ＴＤの上方に来るよう位置決めすることが可能となる。
【００４２】
素子列１０ａ，１０ｂの円周方向の中心付近が、被測定者の橈骨動脈ＴＤの上方に来ることで、素子列１０ａ，１０ｂによって信号レベルの大きな圧脈波を検出することができ、生体情報の測定精度を高めることができる。
【００４３】
上記距離Ｌの値は、被測定者の手首形状や橈骨動脈の位置・形状を多数のパターンでシミュレーションすることで最適な範囲を決めることが可能である。
【００４４】
貫通孔２３は、図１及び図２の例では、四角柱状となっているが、茎状突起Ｔａを嵌めることのできる形状であればよく、孔の形状は特に限定はされない。例えば円柱状であってもよい。
【００４５】
また、貫通孔２３は、筐体２０の内周面（手首と接触する側の面）から外周面に向かって細くなるテーパ状としてもよい。このようにすることで、筐体２０の外周面側の強度を高くすることができ、装置の耐久性を向上させることができる。
【００４６】
図１及び図２に示すように、貫通孔２３の内壁には、橈骨Ｔの茎状突起Ｔａの位置をガイドするための目印２１が設けられている。
【００４７】
目印２１は、図２の平面視において、貫通孔２３の４つの内壁のうち、手首Ｈの円周方向に並ぶ２つの内壁のそれぞれに設けられている。目印２１は、図１に示すように、筐体２の内周面から外周面に向かって伸びる太い線によって構成される。
【００４８】
この線は、貫通孔２３の内壁に凸部を設けることで形成してもよいし、貫通孔２３の内壁を削って形成してもよいし、印刷により形成してもよい。
【００４９】
図２の平面視において、手首Ｈの円周方向に直交する方向における各目印２１の位置は、圧脈波検出部１０の素子列１０ａと素子列１０ｂの間（図２の例では素子列１０ａと素子列１０ｂの中間）にある。
【００５０】
上記距離Ｌの値を決めるためのシミュレーションにおける貫通孔２３における茎状突起Ｔａの位置の条件を、茎状突起Ｔａの中心が２つの目印２１の中間にある状態にしておく。このように条件を設定すると、被測定者が、自身の茎状突起Ｔａの位置を目印２１に合わせることで、シミュレーションの条件に近い状態を簡単に得ることができる。したがって、圧脈波検出センサの位置決めを精度よく行うことが可能となる。
【００５１】
なお、図２では、手首Ｈの円周方向に直交する方向における目印２１の位置を、素子列１０ａと素子列１０ｂの間にしている。これは、この直交する方向において目印２１と同じ位置に橈骨Ｔの茎状突起Ｔａがあることで、押圧面１０ｃと重なる手首の部分において、橈骨動脈ＴＤがこの直交する方向に略平行となる状態を得やすくなり、圧脈波の検出精度を向上できるためである。
【００５２】
なお、目印２１の位置を、素子列１０ａと素子列１０ｂの中間と一致させることで、この状態を更に得やすくなり、圧脈波の検出精度をより向上させることができる。
【００５３】
図３は、図１に示す筐体２０の貫通孔２３を通る手首Ｈの円周方向断面の模式図である。図３において孔部１１，１２やバンド留め具２２の図示は省略している。
【００５４】
図３に示すように、筐体２は、筐体１（第一の筐体）と同じ部材で構成されるサブ筐体２ｂと、筐体１よりも剛性の低い部材で構成されるサブ筐体２ａ（第二の筐体）とが連結して構成されている。サブ筐体２ａは、例えば、弾性部材や形状記憶合金等が用いられる。
【００５５】
筐体２の内周面のうち先端部（尺骨Ｓの開放端部）から貫通孔２３の手前の部分まではサブ筐体２ｂとなっており、残りの部分がサブ筐体２ａとなっている。
【００５６】
このように、筐体２は、その外周面が剛性の低いサブ筐体２ａにより構成されている。このため、筐体２を手首Ｈの形状に合わせて変形させることが容易となっている。
【００５７】
また、筐体２は、その内周面の大部分が剛性の高いサブ筐体２ｂにより構成されている。このため、筐体２０を手首に巻き付けたときに筐体２０を安定させることができる。
【００５８】
また、筐体２では、貫通孔２３が形成される部分がサブ筐体２ａにより構成されている。つまり、貫通孔２３の内壁や、筐体２の内周面における貫通孔２３の周囲の部分は、筐体１やサブ筐体２ｂよりも柔らかい素材で構成されている。
【００５９】
このため、橈骨Ｔの茎状突起Ｔａを貫通孔２３に嵌め込んだ状態で、茎状突起Ｔａ周辺の手首の部分には柔らかい感触を与えることができ、装置の装着感を向上させることができる。
【００６０】
図４は、筐体２０の手首への装着方法を説明するための図である。図４では、バンド等の筐体２０を固定するための構成要素については図示を省略している。
【００６１】
被測定者が、橈骨Ｔの茎状突起Ｔａの頂部近傍を目印２１の位置に合わせて、貫通孔２３に茎状突起Ｔａを嵌める作業を行う。この作業によって茎状突起Ｔａが貫通孔２３に嵌められると、押圧面１０ｃが、橈骨動脈ＴＤ上方の所望位置に自動的に位置決めされる。この状態で、被測定者は、図示しないバンドによって筐体２０を手首に固定し、生体情報測定装置の装着を完了する。
【００６２】
以上のように、本実施形態の生体情報測定装置によれば、貫通孔２３に茎状突起Ｔａを嵌め込むだけの簡単な作業によって、圧脈波検出センサを、精度よく圧脈波を検出することが可能な位置に位置決めすることができる。この作業は医療従事者でなくとも簡単に行うことができるため、従来技術では解決できなかった課題を解決することができる。
【００６３】
また、本実施形態の生体情報測定装置によれば、貫通孔２３のどのあたりに茎状突起Ｔａを配置すればよいかを、目印２１によって容易に判断することができる。このため、誰が装着しても、高精度の圧脈波が検出できる状態を確実に得ることができる。
【００６４】
また、本実施形態の生体情報測定装置によれば、貫通孔２３に橈骨Ｔの茎状突起Ｔａが嵌る構成のため、筐体２０が手首から浮いた状態とならなくなり、筐体２０の手首への密着性を向上させることができる。この結果、装置装着後の圧脈波検出センサの位置ずれを防いで、圧脈波の検出精度を維持することができる。
【００６５】
また、本実施形態の生体情報測定装置によれば、貫通孔２３によって手首との接触面が少なくなるため、汗等による湿気を逃がすことができ、装置を快適に使用することができる。
【００６６】
また、本実施形態の生体情報測定装置によれば、貫通孔２３に茎状突起Ｔａを嵌めて安定させた状態から、バンドによって筐体２０を締め付けることができるため、装着をスムーズに行うことができる。
【００６７】
ここまでは、貫通孔２３によって圧脈波検出センサの位置決めを行うものとしたが、位置決め部の構成としては貫通孔である必要はない。例えば、貫通孔の代わりに凹部又は切欠部を位置決め部としてもよい。
【００６８】
図５は、筐体２０の変形例である２０Ａの図３に対応する断面図である。
【００６９】
筐体２０Ａは、貫通孔２３を凹部２３Ａに変更し、サブ筐体２ａを透明な材料によって構成した点を除いては、筐体２０と同じ構成である。
【００７０】
凹部２３Ａは、筐体２の内周面のサブ筐体２ａの部分に設けられている。筐体２０Ａの筐体１と筐体２の連結部分の手首側から見た平面図における凹部２３Ａの寸法や形状は、図２に示す貫通孔２３と同じである。
【００７１】
凹部２３Ａの側壁には、貫通孔２３と同様に、茎状突起Ｔａの位置をガイドするための目印２１が設けられる。
【００７２】
筐体２０Ａによれば、貫通孔２３と同様に、凹部２３Ａに茎状突起Ｔａを嵌め込むだけの簡単な作業によって、圧脈波検出センサを、精度よく圧脈波を検出することが可能な位置に位置決めすることができる。
【００７３】
また、筐体２０Ａでは、凹部２３Ａの底面２３Ａｂから筐体２の外周面までの部分が透明になっている。このため、凹部２３Ａの側壁に設けた目印２１を、筐体２の外周側から視認することができる。したがって、筐体２０と同様に、目印２１を用いた正確な位置決めが可能となる。
【００７４】
また、筐体２０Ａによれば、筐体２０よりも筐体２の外周側の剛性を高くすることができる。このため、装置の耐久性を向上させることができる。
【００７５】
筐体２０Ａでは、茎状突起Ｔａが凹部２３Ａの底面２３Ａｂに当たることになるが、この底面２３Ａｂは柔らかい素材により構成されているため、装着感を損なうことはない。
【００７６】
筐体２０Ａにおいても、凹部２３Ａを筐体２０の内周面から外周面に向かって細くなるテーパ状としてもよい。このようにすることで、筐体２０Ａの外周面側の強度を更に確保することができ、装置の耐久性を向上させることができる。
【００７７】
図６は、筐体２０の変形例である筐体２０Ｂの図１に対応する斜視図である。
【００７８】
図６に示す筐体２０Ｂは、サブ筐体２ａに設ける貫通孔２３を切欠部２３Ｂに変更した点を除いては、筐体２０と同じ構成である。切欠部２３Ｂは、サブ筐体２ａの一部を切欠いた部分である。切欠部２３Ｂの側壁には貫通孔２３と同様に目印２１が設けられている。
【００７９】
筐体２０Ｂによれば、貫通孔２３と同様に、切欠部２３Ｂに茎状突起Ｔａを嵌め込むだけの簡単な作業によって、圧脈波検出センサを、精度よく圧脈波を検出することが可能な位置に位置決めすることができる。また、目印２１を用いた正確な位置決めも可能となる。
【００８０】
図１の筐体２０は、図６の筐体２０Ｂと比較すると、筐体２の剛性を高くすることができる。このため、装置の耐久性を高めることができる。
【００８１】
貫通孔２３、凹部２３Ａ、及び切欠部２３Ｂからなる位置決め部に設ける目印２１は、手首Ｈの円周方向に直交する方向の側壁に設けてもよい。
【００８２】
また、凹部２３Ａにより位置決めを行う場合には、凹部２３Ａの底面２３Ａｂの裏側にある筐体２の外周面にドットマークなどで目印を設けてもよい。この場合は、茎状突起Ｔａをドットマークに合わせることで、圧脈波検出センサの最適な位置決めが可能となる。
【００８３】
筐体２０，２０Ａ，２０Ｂにおいて、圧脈波検出センサは、素子列１０ａと素子列１０ｂのいずれかのみを押圧面１０ｃに形成したものであってもよい。または、１つの圧力検出素子を押圧面１０ｃに形成したものであってもよい。
【００８４】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００８５】
以上説明してきたように、本明細書には以下の事項が開示されている。
【００８６】
開示された圧脈波検出装置は、被測定者の手首の橈骨動脈から圧脈波を検出する圧脈波検出センサを収容する筐体と、前記筐体に設けられ、前記圧脈波検出センサの位置決めを行うための位置決め部と、を備え、前記位置決め部と前記圧脈波検出センサは、手首の円周方向に並べて配置されており、前記位置決め部は、前記筐体における手首と対向する面に設けられた凹部、前記筐体に設けられた貫通孔、又は前記筐体に設けられた切欠部からなり、被測定者の橈骨の茎状突起に嵌められることで、前記圧脈波検出センサを被測定者の橈骨動脈上方に位置決めするものである。
【００８７】
開示された圧脈波検出装置は、前記位置決め部は前記凹部であり、前記凹部の底面から前記筐体の外周までの部分は透明になっているものである。
【００８８】
開示された圧脈波検出装置は、前記位置決め部は前記貫通孔又は前記切欠部であるものを含む。
【００８９】
開示された圧脈波検出装置は、前記筐体は、前記圧脈波検出センサを収容する第一の筐体と、前記第一の筐体よりも剛性の低い第二の筐体とを含み、前記位置決め部は、前記第二の筐体に設けられているものである。
【００９０】
開示された圧脈波検出装置は、前記凹部、前記貫通孔、又は前記切欠部には、橈骨の茎状突起の位置をガイドするための目印が設けられているものである。
【００９１】
開示された圧脈波検出装置は、前記圧脈波検出センサは、圧力検出素子を手首の円周方向に複数並べた素子列を前記円周方向に直交する方向に２つ並べた構成であり、前記直交する方向における前記目印の位置は、前記２つの素子列の間にあるものを含む。
【００９２】
開示された圧脈波検出装置は、前記直交する方向における前記目印の位置は、前記２つの素子列の中間と一致するものである。
【００９３】
開示された圧脈波検出装置は、前記位置決め部と前記圧脈波検出センサを手首側からみた平面視における、前記位置決め部と前記圧脈波検出センサとの前記円周方向の距離は、１ｃｍ以下であるものを含む。
【符号の説明】
【００９４】
１０  圧脈波検出部
１０ａ，１０ｂ  圧力検出素子列
１０ｃ  押圧面
１１，１２  孔部
２０  筐体
２１  目印
２２  バンド留め具
２３  貫通孔（位置決め部）
２３Ａ  凹部（位置決め部）
２３Ｂ  切欠部（位置決め部）
Ｔ  橈骨
Ｔａ  茎状突起
Ｓ  尺骨
ＴＤ  橈骨動脈
Ｈ  手首
【図１】
2017051273.tif 000003
【図２】
2017051273.tif 000004
【図３】
2017051273.tif 000005
【図４】
2017051273.tif 000006
【図５】
2017051273.tif 000007
【図６】
2017051273.tif 000008